【手続補正書】
【提出日】平成23年6月2日(2011.6.2)
【手続補正１】
【補正対象書類名】特許請求の範囲
【補正対象項目名】全文
【補正方法】変更
【補正の内容】
【特許請求の範囲】
【請求項１】
遊技機全体を制御する主制御装置と、該主制御装置から送信される制御信号に基づいて表示装置での図柄の変動表示を含む遊技演出を制御するサブ制御装置と、を備える遊技機において、
前記主制御装置は、
始動口への遊技球の入賞に起因して複数種類の乱数値を抽出する乱数値抽出手段と、
前記乱数値抽出手段により抽出された前記乱数値を記憶する乱数値記憶手段と、
前記乱数値記憶手段により記憶された前記乱数値又は前記乱数値抽出手段により抽出された前記乱数値に基づいて、前記表示装置での図柄の変動表示の演出カテゴリを判断するカテゴリ判断手段と、
前記カテゴリ判断手段により判断された前記演出カテゴリを示す演出カテゴリ信号を前記サブ制御装置に送信する演出カテゴリ信号送信手段と、
前記乱数値記憶手段により記憶された前記乱数値の保留記憶数を示す保留数指示信号を前記サブ制御装置に送信する保留数指示信号送信手段と、
前記乱数値記憶手段により記憶された前記乱数値に基づいて選択される前記表示装置での図柄の変動表示の変動パターンを示す変動パターン信号を前記サブ制御装置に送信する変動パターン信号送信手段と、を備え、
前記サブ制御装置は、
前記主制御装置から前記演出カテゴリ信号を受信したときに、所定条件を満たしているか否かを判断する所定条件判断手段と、
前記所定条件判断手段により前記所定条件を満たしていると判断されたときに、前記主制御装置から前記演出カテゴリ信号を受信した後に前記変動パターン信号を受信した際に、前記表示装置での複数回の図柄の変動表示において連続して行われる連続予告用の演出態様を選択する演出態様選択手段と、を備えることを特徴とする遊技機。
【請求項２】
前記主制御装置は、前記カテゴリ判断手段により判断された前記演出カテゴリを記憶する演出カテゴリ記憶手段を更に備える請求項１記載の遊技機。
【請求項３】
前記サブ制御装置は、前記主制御装置から受信した前記演出カテゴリ信号の示す演出カテゴリを記憶する演出カテゴリ記憶手段を更に備える請求項１又は２に記載の遊技機。
【請求項４】
前記所定条件判断手段は、前記主制御装置から受信した前記演出カテゴリ信号の示す演出カテゴリが所定の演出カテゴリであるときに前記所定条件を満たしていると判断する請求項１乃至３のいずれか一項に記載の遊技機。
【請求項５】
前記所定条件判断手段は、前記主制御装置から受信した前記保留数指示信号の示す保留記憶数が所定値以上であるときに前記所定条件を満たしていると判断する請求項４記載の遊技機。
【請求項６】
前記所定条件判断手段は、前記演出態様選択手段により前記連続予告用の演出態様が選択されていないときに前記所定条件を満たしていると判断する請求項４又は５に記載の遊技機。
【手続補正２】
【補正対象書類名】明細書
【補正対象項目名】０００８
【補正方法】変更
【補正の内容】
【０００８】
１．遊技機全体を制御する主制御装置と、該主制御装置から送信される制御信号に基づいて表示装置での図柄の変動表示を含む遊技演出を制御するサブ制御装置と、を備える遊技機において、
前記主制御装置は、
始動口への遊技球の入賞に起因して複数種類の乱数値を抽出する乱数値抽出手段と、
前記乱数値抽出手段により抽出された前記乱数値を記憶する乱数値記憶手段と、
前記乱数値記憶手段により記憶された前記乱数値又は前記乱数値抽出手段により抽出された前記乱数値に基づいて、前記表示装置での図柄の変動表示の演出カテゴリを判断するカテゴリ判断手段と、
前記カテゴリ判断手段により判断された前記演出カテゴリを示す演出カテゴリ信号を前記サブ制御装置に送信する演出カテゴリ信号送信手段と、
前記乱数値記憶手段により記憶された前記乱数値の保留記憶数を示す保留数指示信号を前記サブ制御装置に送信する保留数指示信号送信手段と、
前記乱数値記憶手段により記憶された前記乱数値に基づいて選択される前記表示装置での図柄の変動表示の変動パターンを示す変動パターン信号を前記サブ制御装置に送信する変動パターン信号送信手段と、を備え、
前記サブ制御装置は、
前記主制御装置から前記演出カテゴリ信号を受信したときに、所定条件を満たしているか否かを判断する所定条件判断手段と、
前記所定条件判断手段により前記所定条件を満たしていると判断されたときに、前記主制御装置から前記演出カテゴリ信号を受信した後に前記変動パターン信号を受信した際に、前記表示装置での複数回の図柄の変動表示において連続して行われる連続予告用の演出態様を選択する演出態様選択手段と、を備えることを特徴とする遊技機。
２．前記主制御装置は、前記カテゴリ判断手段により判断された前記演出カテゴリを記憶する演出カテゴリ記憶手段を更に備える上記１記載の遊技機。
３．前記サブ制御装置は、前記主制御装置から受信した前記演出カテゴリ信号の示す演出カテゴリを記憶する演出カテゴリ記憶手段を更に備える上記１．又は２．に記載の遊技機。
４．前記所定条件判断手段は、前記主制御装置から受信した前記演出カテゴリ信号の示す演出カテゴリが所定の演出カテゴリであるときに前記所定条件を満たしていると判断する上記１．乃至３．のいずれか一項に記載の遊技機。
５．前記所定条件判断手段は、前記主制御装置から受信した前記保留数指示信号の示す保留記憶数が所定値以上であるときに前記所定条件を満たしていると判断する上記４．記載の遊技機。
６．前記所定条件判断手段は、前記演出態様選択手段により前記連続予告用の演出態様が選択されていないときに前記所定条件を満たしていると判断する上記４．又は５．に記載の遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
他の本発明（請求項１に記載の発明）の遊技機によると、主制御装置によって、始動口への遊技球の入賞（以下、単に「始動入賞」とも記載する。）に起因して抽出される複数種類の乱数値が記憶され、それら記憶された乱数値又は抽出された乱数値に基づいて表示装置での図柄の変動表示の演出カテゴリが判断され、その判断された演出カテゴリを示す演出カテゴリ信号及び保留数指示信号がサブ制御装置に送信され、変動開始時に変動パターン信号がサブ制御装置に送信される。一方、サブ制御装置によって、主制御装置から演出カテゴリ信号を受信したときに、所定条件を満たしているか否かが判断され、所定条件を満たしていると判断されたときに、主制御装置から演出カテゴリ信号を受信した後に変動パターン信号を受信した際に連続予告用の演出態様が選択される。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】